(57)【特許請求の範囲】
【請求項１】
ＬＥＤチップが実装された基板であるＬＥＤ基板と当該ＬＥＤ基板が設置される放熱用構造体としてのヒートシンクと当該ヒートシンクに取付けられて前記ＬＥＤ基板を覆うとともに前記ＬＥＤチップからの光が通過するカバー体とを有する照明装置であるＬＥＤ照明に用いられ、前記ＬＥＤ基板に取り付けられることで前記ＬＥＤチップに対して電気的に接続されるＬＥＤ照明用電気的接続装置であって、
前記ＬＥＤ基板に取り付けられる第１コネクタと、給電ケーブルが接続されるとともに前記第１コネクタに接続される第２コネクタと、を備え、
前記第１コネクタは、
前記ＬＥＤ基板を前記ヒートシンクに固定する固定部材によって当該ＬＥＤ基板に対してその縁部分側において固定されるベース部、及び、前記ＬＥＤ基板に固定される前記ベース部に対して前記ＬＥＤチップ側と反対側で突出するように設けられるとともに前記第２コネクタが嵌合する嵌合部、が設けられた第１ハウジングと、
前記第１ハウジングに保持されるとともに、前記ＬＥＤ基板の導電部に対して電気的に接続される第１コンタクトと、
を有し、
前記第２コネクタは、
前記嵌合部に嵌め込まれる第２ハウジングと、
前記第２ハウジングに保持され、前記給電ケーブルに対して電気的に接続されるとともに、前記第２ハウジングが前記嵌合部に嵌め込まれることで前記第１コンタクトに対して電気的に接続される第２コンタクトと、
を有し、
前記嵌合部は、平板状の前記ＬＥＤ基板に平行に配置される板状部分としての前記ベース部から突出するように設けられ、
前記第２ハウジングは、前記嵌合部に対して、前記ベース部が板状に広がる面方向であるベース面方向と平行に移動して嵌め込まれることを特徴とする、ＬＥＤ照明用電気的接続装置。
【請求項２】
請求項１に記載のＬＥＤ照明用電気的接続装置であって、
前記第２ハウジングは、前記ベース面方向と平行に移動して前記嵌合部に嵌まり込んだ後に、前記ベース面方向に対して垂直な方向に更に移動することで、前記嵌合部に対して前記ベース面方向と平行な方向において係合することを特徴とする、ＬＥＤ照明用電気的接続装置。
【請求項３】
請求項１又は請求項２に記載のＬＥＤ照明用電気的接続装置であって、
前記第１コンタクトは、前記第１ハウジングに対して片持ち状に支持されるバネ部分を有し、当該バネ部分において、前記ＬＥＤ基板の前記導電部に対して電気的に接続される接点部が設けられ、
前記第１コネクタは、前記固定部材によって前記ベース部が前記ＬＥＤ基板に固定されることで、前記接点部が前記導電部に押し付けられることを特徴とする、ＬＥＤ照明用電気的接続装置。
【請求項４】
請求項３に記載のＬＥＤ照明用電気的接続装置であって、
前記第１コンタクトは、
長方形状に延びる部分を有する板状部材が折り曲げられることで形成され、
前記第２コンタクトに接続される側から前記接点部側に向かって延びる方向が、前記ベース部に貫通形成されて前記固定部材が貫通する貫通孔側に向かうように設定されていることを特徴とする、ＬＥＤ照明用電気的接続装置。
【請求項５】
請求項１乃至請求項４のいずれか１項に記載のＬＥＤ照明用電気的接続装置であって、
前記第２コネクタは、前記第２ハウジングに取り付けられることで当該第２ハウジングに係合するとともに当該第２ハウジングに保持された前記第２コンタクトに対しても係合するリテーナを更に有していることを特徴とする、ＬＥＤ照明用電気的接続装置。
【請求項６】
請求項１乃至請求項５のいずれか１項に記載のＬＥＤ照明用電気的接続装置と、
前記第２コネクタにおける前記第２ハウジングに保持された前記第２コンタクトに対して電気的に接続された前記給電ケーブルと、
を備えていることを特徴とする、ハーネス。
【発明の詳細な説明】
【技術分野】
【０００１】
本発明は、ＬＥＤ照明に用いられ、ＬＥＤ照明におけるＬＥＤ基板と給電ケーブルとを接続する、ＬＥＤ照明用電気的接続装置、及びＬＥＤ照明用電気的接続装置を備えるハーネスに関する。
【背景技術】
【０００２】
従来より、ＬＥＤ照明においては、ＬＥＤ照明におけるＬＥＤ基板と給電ケーブルとを接続するＬＥＤ照明用電気的接続装置が用いられている。このようなＬＥＤ照明用電気的接続装置として、特許文献１乃至特許文献３に開示された電気的接続装置が知られている。尚、ＬＥＤ照明は、ＬＥＤチップが実装された基板であるＬＥＤ基板とＬＥＤ基板が設置される放熱用構造体としてのヒートシンクとヒートシンクに取付けられてＬＥＤ基板を覆うとともにＬＥＤチップからの光が通過するカバー体とを有する照明装置として構成される。また、ＬＥＤ照明用電気的接続装置は、給電ケーブルに接続されるとともに、ＬＥＤ基板に取り付けられることでＬＥＤチップに対して電気的に接続される。
【０００３】
特許文献１においては、ＬＥＤ照明のＬＥＤ基板の表面に実装されたＬＥＤチップに対して電気的に接続されるコネクタで構成された電気接続部（１３）として設けられたＬＥＤ照明用電気的接続装置が開示されている。このＬＥＤ照明用電気的接続装置は、ＬＥＤ基板の中央部分にて貫通形成された貫通孔（１４）に挿通される給電ケーブル（電線ｗ）が接続されるように構成されている。尚、給電ケーブルは、ＬＥＤ基板の裏面側から表面側に向かって上記の貫通孔を挿通される。そして、ＬＥＤ照明用電気的接続装置は、ＬＥＤ基板に対して、ＬＥＤチップが配置される表面側において接続される。
【０００４】
特許文献２においては、第１の実施の形態として、ＬＥＤチップが配置されるＬＥＤ基板の表面に対して接続されるコネクタである接続部（４）として設けられたＬＥＤ照明用電気的接続装置が開示されている。このＬＥＤ照明用電気的接続装置は、器具本体（５）に基端が取り付けられた板バネとしての弾性片（７）の先端部に設けられている。そして、ＬＥＤ基板の表面に対してその中央部分で接続されたＬＥＤ照明用電気的接続装置に接続された給電ケーブル（リード線１０）は、ＬＥＤ基板の表面を縁部分まで延びて迂回した後、ＬＥＤ基板の裏面側に引き回されるように配置されている。
【０００５】
また、特許文献２においては、第３の実施の形態として、ＬＥＤ基板を覆う外郭部材として設けられた接続部（４）又はモジュール保持部材（２）がＬＥＤチップからの光が通過するカバー体であるレンズ体（１１）に一体に設けられたレンズ一体型のコネクタとして構成されたＬＥＤ照明用電気的接続装置が開示されている。そして、このＬＥＤ照明用電気的接続装置は、上記の外郭部材において、ＬＥＤ基板の表面の給電端子部（３）に対して接続されるとともに器具本体（５）の導電部（１９）に対しても接続されるように構成されている。
【０００６】
特許文献３においては、相手コネクタ（１０２）とコネクタ組立体（１０４）とで構成されたコネクタシステム（１００）として設けられたＬＥＤ照明用電気的接続装置が開示されている。上記の相手コネクタは、給電ケーブル（ケーブル１０８）に対して接続され、上記のコネクタ組立体と嵌合するように構成されている。一方、コネクタ組立体は、ＬＥＤ基板（基板１１８）において孔として貫通形成された間口（１１６）を貫通し、ＬＥＤ基板の表裏面側の両方に突出した状態で、ＬＥＤ基板に対して固定されるとともに電気的に接続されるように構成されている。
【先行技術文献】
【特許文献】
【０００７】
【特許文献１】特開２０１０−９７８９０号公報
【特許文献２】特開２００３−６８１３０号公報
【特許文献３】特開２０１０−３６８８号公報
【発明の概要】
【発明が解決しようとする課題】
【０００８】
特許文献１に開示されたＬＥＤ照明用電気的接続装置は、ＬＥＤ基板に貫通形成された孔に挿通される給電ケーブルに対して接続される。これにより、ＬＥＤ基板は、孔が設けられる領域が、絶縁性材料が配置されない空間領域となる。このため、ＬＥＤ基板が設置される金属製の放熱用構造体としてのヒートシンクに対する絶縁性が確保されるためには、上記の孔とヒートシンクとの間において十分な空間距離が設定される必要があり、ＬＥＤ基板の大型化を招いてしまうことになる。よって、ヒートシンクに対する絶縁性を容易に確保可能でＬＥＤ基板の小型化を図ることができる構造のＬＥＤ照明用電気的接続装置の実現が望まれる。
【０００９】
そして、特許文献１のＬＥＤ照明用電気的接続装置は、ＬＥＤチップが配置される表面側でＬＥＤ基板に対して接続される。このため、ＬＥＤ基板の表面側において突出する高さが高くなってしまい、発光するＬＥＤチップからの光の一部を遮ってしまい易いという問題がある。よって、ＬＥＤチップからの光の一部を遮ってしまうことを抑制できるようにＬＥＤ基板の表面側における低背化が図られる構造のＬＥＤ照明用電気的接続装置の実現が望まれる。
【００１０】
更に、特許文献１のＬＥＤ照明用電気的接続装置がＬＥＤ基板に接続される際には、給電ケーブルがＬＥＤ基板の裏面側から表面側に向かって上記の孔を挿通するように配置される。そして、ＬＥＤ基板の表面側において、ＬＥＤ照明用電気的接続装置が、給電ケーブルに接続されるとともにＬＥＤ基板に対しても接続される。このため、ＬＥＤ照明用電気的接続装置のＬＥＤ基板への接続作業が煩雑となり、この接続作業に多くの手間を要してしまうことになる。よって、ＬＥＤ基板に対して容易に接続可能な構造のＬＥＤ照明用電気的接続装置の実現が望まれる。
【００１１】
また、特許文献２の第１の実施の形態として開示されたＬＥＤ照明用電気的接続装置は、ＬＥＤ基板の表面側に接続され、更に給電ケーブルがＬＥＤ基板の表面を縁部分まで延びることになる。このため、このＬＥＤ照明用電気的接続装置は、特許文献１に開示されたＬＥＤ照明用電気的接続装置と同様に、発光するＬＥＤチップからの光の一部を遮ってしまい易いという問題がある。
【００１２】
また、特許文献２の第３の実施の形態として開示されたＬＥＤ照明用電気的接続装置は、ＬＥＤ基板を覆う外郭部材が光が通過するカバー体であるレンズ体に一体に設けられたレンズ一体型のコネクタとして構成され、ＬＥＤ基板側の端子部と器具本体側の導電部に接続されるように構成される。このため、ＬＥＤ照明の製造工程上の大幅な制約が生じることに加え、ＬＥＤ照明の構造上においても大幅な制約が生じることになる。よって、ＬＥＤ照明の製造工程上及び構造上の制約を緩和できる構成のＬＥＤ照明用電気的接続装置の実現が望まれる。
【００１３】
また、特許文献３に開示されたＬＥＤ照明用電気的接続装置は、ＬＥＤ基板に接続されるコネクタ組立体が、ＬＥＤ基板に貫通形成された孔を貫通した状態で配置される。これにより、ＬＥＤ基板は、孔が設けられる領域が、絶縁性材料が配置されない空間領域となる。このため、ＬＥＤ基板が設置される金属製の放熱用構造体としてのヒートシンクに対する絶縁性が確保されるためには、上記の孔とヒートシンクとの間において十分な空間距離が設定される必要がある。よって、このＬＥＤ照明用電気的接続装置は、特許文献１に開示されたＬＥＤ照明用電気的接続装置と同様に、ＬＥＤ基板の大型化を招いてしまうことになる。
【００１４】
本発明は、上記実情に鑑みることにより、ヒートシンクに対する絶縁性を容易に確保可能でＬＥＤ基板の小型化を図れ、ＬＥＤ基板の表面側における低背化を図ることができ、ＬＥＤ基板に対して容易に接続可能で、更に、ＬＥＤ照明の製造工程上及び構造上の制約を緩和できる、ＬＥＤ照明用電気的接続装置を提供することを目的とする。また、そのＬＥＤ照明用電気的接続装置を備えるハーネス（ケーブルハーネス）を提供することを目的とする。
【課題を解決するための手段】
【００１５】
上記目的を達成するための本発明に係るＬＥＤ照明用電気的接続装置は、ＬＥＤチップが実装された基板であるＬＥＤ基板と当該ＬＥＤ基板が設置される放熱用構造体としてのヒートシンクと当該ヒートシンクに取付けられて前記ＬＥＤ基板を覆うとともに前記ＬＥＤチップからの光が通過するカバー体とを有する照明装置であるＬＥＤ照明に用いられ、前記ＬＥＤ基板に取り付けられることで前記ＬＥＤチップに対して電気的に接続されるＬＥＤ照明用電気的接続装置に関する。そして、本発明に係るＬＥＤ照明用電気的接続装置は、前記ＬＥＤ基板に取り付けられる第１コネクタと、給電ケーブルが接続されるとともに前記第１コネクタに接続される第２コネクタと、を備え、前記第１コネクタは、前記ＬＥＤ基板を前記ヒートシンクに固定する固定部材によって当該ＬＥＤ基板に対してその縁部分側において固定されるベース部、及び、前記ＬＥＤ基板に固定される前記ベース部に対して前記ＬＥＤチップ側と反対側で突出するように設けられるとともに前記第２コネクタが嵌合する嵌合部、が設けられた第１ハウジングと、前記第１ハウジングに保持されるとともに、前記ＬＥＤ基板の導電部に対して電気的に接続される第１コンタクトと、を有し、前記第２コネクタは、前記嵌合部に嵌め込まれる第２ハウジングと、前記第２ハウジングに保持され、前記給電ケーブルに対して電気的に接続されるとともに、前記第２ハウジングが前記嵌合部に嵌め込まれることで前記第１コンタクトに対して電気的に接続される第２コンタクトと、を有していることを特徴とする。
【００１６】
この発明によると、給電ケーブルが接続された第２コネクタが嵌合によって第１コネクタに接続され、ＬＥＤ基板をヒートシンクに固定する固定部材によって第１コネクタがＬＥＤ基板の縁部分側に固定される。このため、従来技術とは異なり、ＬＥＤ基板において、給電ケーブルが挿通される孔が貫通形成されることがなく、また、コネクタが配置される孔が貫通形成されることもない。よって、ＬＥＤ基板において、絶縁性材料が配置されない空間領域としての孔が不要となるため、ヒートシンクに対する絶縁性を容易に確保可能でＬＥＤ基板の小型化を図ることができる。
【００１７】
また、本発明のＬＥＤ照明用電気的接続装置では、ＬＥＤ基板の縁部分側で固定される第１コネクタのベース部からＬＥＤチップ側と反対側で突出する嵌合部に第２コネクタが嵌合する。このため、第１コネクタ及び第２コネクタとも、ＬＥＤ基板の表面側において突出する高さが高くなってしまうことが防止される。よって、発光するＬＥＤチップからの光の一部を遮ってしまうことを抑制できるようにＬＥＤ基板の表面における低背化が図られる構造のＬＥＤ照明用電気的接続装置が実現されることになる。
【００１８】
また、本発明のＬＥＤ照明用電気的接続装置では、前述のように、給電ケーブルが接続された第２コネクタが嵌合によって第１コネクタに接続され、ＬＥＤ基板をヒートシンクに固定する固定部材によって第１コネクタがＬＥＤ基板の縁部分側に固定される。このため、従来技術とは異なり、ＬＥＤ基板の孔に給電ケーブルを挿通させた後にＬＥＤ照明用電気的接続装置を給電ケーブルとＬＥＤ基板とに接続するような煩雑で手間を要する作業が不要となり、ＬＥＤ基板に対して容易にＬＥＤ照明用電気的接続装置を接続することができる。また、本発明のＬＥＤ照明用電気的接続装置は、ＬＥＤ基板の縁部分に固定された第１コネクタに対して、給電ケーブルに接続された第２コネクタが嵌合する構造のため、ＬＥＤ照明の製造工程上の制約が非常に少なく、また、ＬＥＤ照明の構造上の制約も非常に少ない。
【００１９】
従って、本発明によると、ヒートシンクに対する絶縁性を容易に確保可能でＬＥＤ基板の小型化を図れ、ＬＥＤ基板の表面側における低背化を図ることができ、ＬＥＤ基板に対して容易に接続可能で、更に、ＬＥＤ照明の製造工程上及び構造上の制約を緩和できる、ＬＥＤ照明用電気的接続装置を提供することができる。
【００２０】
本発明に係るＬＥＤ照明用電気的接続装置は、前記嵌合部は、平板状の前記ＬＥＤ基板に平行に配置される板状部分としての前記ベース部から突出するように設けられ、前記第２ハウジングは、前記嵌合部に対して、前記ベース部が板状に広がる面方向であるベース面方向と平行に移動して嵌め込まれることが好ましい。
【００２１】
この発明によると、ＬＥＤ基板と平行に配置される板状のベース部から突出する嵌合部に対してベース面方向と平行に第２ハウジングを嵌め込むことで、第１コネクタに対する第２コネクタの接続作業を容易に行うことができる。
【００２２】
本発明に係るＬＥＤ照明用電気的接続装置は、前記第２ハウジングは、前記ベース面方向と平行に移動して前記嵌合部に嵌まり込んだ後に、前記ベース面方向に対して垂直な方向に更に移動することで、前記嵌合部に対して前記ベース面方向と平行な方向において係合することが好ましい。
【００２３】
この発明によると、第２ハウジングは、第１コネクタに対してベース面方向に嵌め込まれた後にベース面方向に垂直に移動してベース面方向と平行な方向で係合する。このため、第１コネクタに対して第２コネクタが二重にロックされた状態でより確実な脱落防止が図られることになる。また、第１コネクタに対してベース面方向に第２コネクタが嵌め込まれる形態のＬＥＤ照明用電気的接続装置であっても、二重にロック可能な構造を容易に実現することができる。
【００２４】
本発明に係るＬＥＤ照明用電気的接続装置は、前記第１コンタクトは、前記第１ハウジングに対して片持ち状に支持されるバネ部分を有し、当該バネ部分において、前記ＬＥＤ基板の前記導電部に対して電気的に接続される接点部が設けられ、前記第１コネクタは、前記固定部材によって前記ベース部が前記ＬＥＤ基板に固定されることで、前記接点部が前記導電部に押し付けられることが好ましい。
【００２５】
この発明によると、第１コンタクトの接点部は、片持ち状のバネ部分に設けられ、第１コネクタが固定部材によってＬＥＤ基板に固定されることでＬＥＤ基板の導電部に押し付けられる。このため、第１コンタクトの接点部が、ＬＥＤ基板の導電部に対して、固定部材による固定力に加えてバネ部分のバネ力によっても押し付けられ、接点部と導電部との間でのより強固な接触力が確保されることになる。よって、ＬＥＤ照明用電気的接続装置が、ＬＥＤ照明に長期間に亘って設置されることで長期間に亘る高温環境下に配置された場合であっても、第１ハウジングの変形の影響を抑制して接点部と導電部とのより安定した接触状態を確保することができる。
【００２６】
また、本発明に係るＬＥＤ照明用電気的接続装置は、前記第１コンタクトは、長方形状に延びる部分を有する板状部材が折り曲げられることで形成され、前記第２コンタクトに接続される側から前記接点部側に向かって延びる方向が、前記ベース部に貫通形成されて前記固定部材が貫通する貫通孔側に向かうように設定されていることが好ましい。
【００２７】
この発明によると、第１コンタクトが、長方形状に設けられる部分を含む板状部材によって形成される。このため、第１コンタクトの製造の際に、大きな板状の部材から打ち抜き或いは切断などによって複数の第１コンタクトの素材が形成される際に、上記の板状の部材において複数の第１コンタクトの素材部分を効率よく密集させた状態で配置することができる。よって、第１コンタクトの製造の際における歩留まりの向上を図ることができる。また、長方形状に延びる第１コンタクトは、第２コンタクトに接続される側から接点部側に向かう方向が、ベース部において固定部材が貫通する貫通孔側に向かうように設定されている。このため、固定部材の固定力が強固に作用する領域に接点部が配置されることになる。よって、第１コンタクトの接点部とＬＥＤ基板の導電部との間において更に強固な接触力を確保することができる。
【００２８】
また、本発明に係るＬＥＤ照明用電気的接続装置は、前記第２コネクタは、前記第２ハウジングに取り付けられることで当該第２ハウジングに係合するとともに当該第２ハウジングに保持された前記第２コンタクトに対しても係合するリテーナを更に有していることが好ましい。
【００２９】
この発明によると、第２コネクタにおいて、第２ハウジングに係合するとともに第２コンタクトにも係合するリテーナが更に設けられる。このため、給電ケーブルに外力が作用した場合であっても、給電ケーブルが接続された第２コンタクトが第２ハウジングから外れてしまうことをより確実に防止できる。
【００３０】
また、他の観点に係る発明として、ハーネスの発明を構成することもできる。本発明の他の観点に係るハーネスは、上記のいずれかのＬＥＤ照明用電気的接続装置と、前記第２コネクタにおける前記第２ハウジングに保持された前記第２コンタクトに対して電気的に接続された前記給電ケーブルと、を備えていることを特徴とする。
【００３１】
この発明によると、上記のいずれかのＬＥＤ照明用電気的接続装置と同様の効果を奏することができる。
【発明の効果】
【００３２】
本発明によると、ヒートシンクに対する絶縁性を容易に確保可能でＬＥＤ基板の小型化を図れ、ＬＥＤ基板の表面側における低背化を図ることができ、ＬＥＤ基板に対して容易に接続可能で、更に、ＬＥＤ照明の製造工程上及び構造上の制約を緩和できる、ＬＥＤ照明用電気的接続装置を提供することができる。また、そのＬＥＤ照明用電気的接続装置を備えるハーネスを提供することができる。
【図面の簡単な説明】
【００３３】
【図１】本発明の一実施の形態に係るＬＥＤ照明用電気的接続装置が取り付けられたＬＥＤ照明を示す斜視図である。
【図２】図１に示すＬＥＤ照明の平面図である。
【図３】図１に示すＬＥＤ照明の分解斜視図であって、ＬＥＤ照明用電気的接続装置の斜視図を含む図である。
【図４】図３に示すＬＥＤ照明用電気的接続装置の斜視図である。
【図５】図４に示すＬＥＤ照明用電気的接続装置の平面図及び正面図である。
【図６】図５に示すＬＥＤ照明用電気的接続装置についてＡ−Ａ線矢視位置から見た断面を示す断面図である。
【図７】図４に示すＬＥＤ照明用電気的接続装置における第１コネクタの正面図である。
【図８】図７に示す第１コネクタの底面図及び背面図である。
【図９】図４に示すＬＥＤ照明用電気的接続装置における第１コネクタの斜視図である。
【図１０】図７に示す第１コネクタについてＢ−Ｂ線矢視位置から見た断面を示す断面図である。
【図１１】図７に示す第１コネクタについてのＣ−Ｃ線矢視位置から見た断面を示す断面図、及び図８に示す第１コネクタについてのＤ−Ｄ線矢視位置から見た断面を示す断面図である。
【図１２】図７に示す第１コネクタにおける第１コンタクトを示す正面図、側面図及び底面図である。
【図１３】図４に示すＬＥＤ照明用電気的接続装置における第２コネクタを示す正面図である。
【図１４】図１３に示す第２コネクタについて、図中の矢印Ｅ方向から見た図及び図中の矢印Ｆ方向から見た図である。
【図１５】図１３に示す第２コネクタの斜視図である。
【図１６】図１４に示す第２コネクタについてＧ−Ｇ線矢視位置から見た断面を示す断面図である。
【図１７】図１３に示す第２コネクタにおける第２ハウジングを示す斜視図である。
【図１８】図１４に示す第２コネクタにおける第２ハウジングを示す図である。
【図１９】図１３に示す第２コネクタにおける第２コンタクトを示す斜視図である。
【図２０】図１９に示す第２コンタクトを示す側面図、平面図、正面図、及び底面図である。
【図２１】変形例に係る第１コネクタを示す正面図である。
【図２２】変形例に係る第２コネクタを示す正面図である。
【発明を実施するための形態】
【００３４】
以下、本発明を実施するための形態について図面を参照しつつ説明する。尚、本発明は、ＬＥＤチップが実装された基板であるＬＥＤ基板とこのＬＥＤ基板が設置される放熱用構造体としてのヒートシンクとヒートシンクに取付けられてＬＥＤ基板を覆うとともにＬＥＤチップからの光が通過するカバー体とを有する照明装置であるＬＥＤ照明に用いられ、ＬＥＤ基板に取り付けられることでＬＥＤチップに対して電気的に接続されるＬＥＤ照明用電気的接続装置として、種々の用途に広く適用することができるものである。
【００３５】
図１は、本発明の一実施の形態に係るＬＥＤ照明用電気的接続装置１（以下、単に「電気的接続装置１」ともいう）及びその電気的接続装置１を含む本発明の一実施の形態に係るハーネス（ケーブルハーネス）２が取り付けられたＬＥＤ電球１００を示す斜視図である。また、図２は、ＬＥＤ電球１００の平面図である。また、図３は、ＬＥＤ電球１００の分解斜視図である。図１乃至図３に例示するＬＥＤ電球１００は、ＬＥＤ基板１０１とヒートシンク１０２とカバー体（図示を省略）とを有する照明装置であるＬＥＤ照明であって、電球型のＬＥＤ照明として構成されている。尚、図１乃至図３においては、ＬＥＤ電球１００における発光側に配置されるカバー体が取り付けられていない状態のＬＥＤ電球１００が図示されている。
【００３６】
図１乃至図３にて図示が省略されたカバー体は、ヒートシンク１０２に取付けられてＬＥＤ基板１０１を覆うとともに、ＬＥＤ基板１０１に実装されるＬＥＤチップ１０３からの光が通過するカバー要素として設けられる。このカバー体は、例えば、球面状の表面部分を有するカバー要素として、又は、扁平な湾曲面としての表面部分を有するカバー要素として、或いは、平坦な表面部分を有するカバー要素として設けられる。
【００３７】
ＬＥＤ基板１０１は、平板状のリジッド基板として設けられ、ＬＥＤ（Light Emitting Diode、発光ダイオード）を含むＬＥＤチップが表面実装された基板として構成されている。このＬＥＤ基板１０１には、ＬＥＤチップ１０３が表面実装される表面側において、ＬＥＤチップ１０３に対する給電用の回路パターンが設けられている。そして、この回路パターンには、電気的接続装置１に対して電気的に接続される導電部（１０１ａ、１０１ａ）が含まれている。また、ＬＥＤ基板１０１の縁部分における一部には、凹み状に形成されて電気的接続装置１における後述の第１コネクタ１１の一部が配置されるコネクタ用凹部１０１ｂが設けられている。尚、ＬＥＤ基板１０１においては、コネクタ用凹部１０１ｂの両側に、導電部（１０１ａ、１０１ａ）が配置されている。
【００３８】
ヒートシンク１０２は、ＬＥＤ基板１０１が設置される放熱用構造体として設けられ、例えば、アルミニウム合金により形成されている。このヒートシンク１０２には、中心軸方向に沿って径寸法が変化する筒状の外形部分を有する本体部１０２ａと、本体部１０２ａの中心軸方向における一方の端部側を覆うように形成された設置部１０２ｂとが設けられている。設置部１０２ｂの表面は、ＬＥＤ基板１０１が設置される平坦な面として設けられている。そして、この設置部１０２ｂには、長方形の開口領域として表面側に開口するとともに貫通形成された貫通配置孔１０２ｃが設けられている。この貫通配置孔１０２ｃには、電気的接続装置１が貫通した状態で配置される。尚、ヒートシンク１０２は、本体部１０２ａ及び設置部１０２ｂが、構造体として機能するとともに、ＬＥＤチップ１０３での発光に伴って生じる熱を外部へ放熱する機構として設けられている。
【００３９】
図４は、電気的接続装置１及びハーネス２の斜視図である。図５は、電気的接続装置１の平面図（図５（ａ））と、電気的接続装置１及びハーネス２の正面図（図５（ｂ））とを示す図である。図６は、電気的接続装置１及びハーネス２について図５（ｂ）のＡ−Ａ線矢視位置から見た断面を示す断面図である。
【００４０】
図１乃至図６に示す電気的接続装置１は、ＬＥＤ電球１００に用いられ、ＬＥＤ基板１０１に対して取り付けられることでＬＥＤ基板１０１における給電用の回路パターンを介してＬＥＤチップ１０３に対して電気的に接続される。また、ハーネス２は、電気的接続装置１と、電力供給用のケーブル（電線）である複数の給電ケーブル（３、３）とを備えて構成されている。尚、図３乃至図６では、ケーブル（３、３）についての図示を途中から省略している（図１３乃至図１６、図１９、図２０についても同様）。
【００４１】
電気的接続装置１は、ＬＥＤ基板１０１に取り付けられる第１コネクタ１１と、給電ケーブル（３、３）が接続されるとともに第１コネクタ１１に接続される第２コネクタ１２と、を備えて構成されている。また、ハーネス２における給電ケーブル（３、３）は、後述の第２コネクタ１２における第２ハウジング１７に保持された第２コンタクト１８に対して電気的に接続されている。尚、給電ケーブル（３、３）は、第２コネクタ１２に接続される側の端部と反対側の端部において、本体部１０２ａの内側に配置されて電力を供給する電源基板に対して接続されている。
【００４２】
図７は、第１コネクタ１１の正面図である。図８は、第１コネクタ１１の底面図（図８（ａ））及び背面図（図８（ｂ））である。図９は、第１コネクタ１１の斜視図であり、図４とは異なる角度から見た状態として示す斜視図である。図１０は、第１コネクタ１１について図７のＢ−Ｂ線矢視位置から見た断面を示す断面図である。図１１は、第１コネクタ１１について、図７のＣ−Ｃ線矢視位置から見た断面を示す断面図（図１１（ａ））と、図８のＤ−Ｄ線矢視位置から見た断面を示す断面図（図１１（ｂ））とを示す図である。
【００４３】
図１乃至図１１に示す第１コネクタ１１は、第１ハウジング１３と、複数の第１コンタクト１４（１４ａ、１４ｂ）と、を備えて構成されている。第１ハウジング１３は、絶縁性材料である樹脂材料で形成されている。そして、第１ハウジング１３には、ベース部１５、嵌合部１６、等が設けられ、これらの要素は一体に形成されている。
【００４４】
ベース部１５は、平板状のＬＥＤ基板１０１に平行に配置される略長方形状の板状部分として設けられている。そして、このベース部１５は、ＬＥＤ基板１０１をヒートシンク１０２の設置部１０２ｂに固定する固定部材であるネジ（１０４、１０４）によって、ＬＥＤ基板１０１に対してその縁部分側において固定される。ベース部１５には、長方形状の長手方向における両側において、ネジ１０４が貫通する貫通孔１５ａがそれぞれ貫通形成されている。
【００４５】
尚、各ネジ１０４は、貫通孔１５ａを貫通するとともに、ベース部１５とヒートシンク１０２の設置部１０２ｂとの間に配置されたネジ用凹部１０１ｃの内側を通過し、設置部１０２ｂに螺合する。そして、ネジ１０４の設置部１０２ｂに対する螺合によって生じる締結力によって、ネジ１０４の頭部がベース部１５を貫通孔１５ａの周囲で押圧することになる。このため、ベース部１５を介してＬＥＤ基板１０１を設置部１０２ｂに押し付けるネジ１０４によって、ＬＥＤ基板１０１が設置部１０２ｂに固定されるとともに、ベース部１５がＬＥＤ基板１０１に固定される。
【００４６】
嵌合部１６は、第２コネクタ１２が嵌合する部分として設けられている。そして、この嵌合部１６は、ＬＥＤ基板１０１に固定されるベース部１５に対してＬＥＤチップ１０３側と反対側でベース部１５から突出するように設けられている。即ち、第１コネクタ１１がＬＥＤ基板１０１に固定された状態では、ＬＥＤチップ１０３が配置されるＬＥＤ基板１０１の表面側にベース部１５が固定され、ＬＥＤ基板１０１の裏面側に向かってベース部１５から嵌合部１６が突出した状態となる。この状態では、嵌合部１６は、コネクタ用凹部１０１ｂの内側に配置されている。
【００４７】
また、嵌合部１６には、第２コネクタ１２が嵌合する嵌合穴１６ａが、ベース部１５が板状に広がる面方向であるベース面方向と平行な方向に向かって開口するように形成されている。嵌合部１６における嵌合穴１６ａの内側に第２コネクタ１２が嵌まり込むことで、第２コネクタ１２が第１コネクタ１１に嵌合して接続される。
【００４８】
また、嵌合部１６には、ベース部１５と反対側の端部において、嵌合穴１６ａの内側に嵌合した状態の第２コネクタ１２に接続された給電ケーブル（３、３）が引き出されるケーブル引出し溝（１６ｂ、１６ｂ）が形成されている。また、嵌合部１６には、複数の嵌合溝１６ｃと複数の係合凸部１６ｄとが設けられている。複数の嵌合溝１６ｃは、第２コネクタ１２が嵌合穴１６ａに嵌合する際に、第２コネクタ１２における後述の第２ハウジング１７に設けられた複数の係合突起１７ａがそれぞれ嵌め込まれる溝として設けられている。複数の係合凸部１６ｄは、各嵌合溝１６ｃに嵌まり込んだ各係合突起１７ａに対してそれぞれ係合可能な凸部として設けられている。
【００４９】
複数の第１コンタクト１４（１４ａ、１４ｂ）は、第１ハウジング１３に保持されるとともに、ＬＥＤ基板１０１の導電部（１０１ａ、１０１ａ）に対して電気的に接続される端子部材として設けられている。そして、第１コネクタ１１では、第１コンタクト１４として２つの第１コンタクト（１４ａ、１４ｂ）が備えられており、一方の導電部１０１ａに第１コンタクト１４ａが電気的に接続され、他方の導電部１０１ａに第１コンタクト１４ｂが電気的に接続される。第１コンタクト１４ａ及び第１コンタクト１４ｂは、銅合金で形成されており、表面にはニッケル下地付の金めっき処理が施されている。
【００５０】
図１２は、２つの第１コンタクト１４のうちの一方の第１コンタクト１４ｂを示す正面図（図１２（ａ））、側面図（図１２（ｂ））及び底面図（図１２（ｃ））である。第１コンタクト１４ａは、第１コンタクト１４ｂと同様の要素を備えて構成されるため、以下の説明では、第１コンタクト１４ｂの構造について説明することで、第１コンタクト１４ａの構造についての説明を省略する。尚、第１コンタクト１４ａ及び第１コンタクト１４ｂの形状及び配置に関する構成は、第１ハウジング１３において、ベース部材１５のベース面方向に垂直な面であってベース部材１５の中央を通る仮想の面に対して対称な状態となるように設定されている。
【００５１】
第１コンタクト１４ｂは、長方形状に延びる部分を有する板状部材が折り曲げられることで形成されている。そして、第１コンタクト１４ｂには、第２コネクタ１２における後述の第２コンタクト１８に対して接続される接続部分２１、ＬＥＤ基板１０１の導電部１０１ａに対して電気的に接続される接点部２４が設けられたバネ部分２２、等が備えられている。
【００５２】
接続部分２１は、第１コンタクト１４ｂにおいて、真っ直ぐに帯状に延びる中央部分２５の一方の端部側に設けられ、中央部分２５に対して略直角に折り曲げられた平板状の部分として形成されている。この接続部分２１は、第１ハウジング１３において、嵌合部１６の嵌合穴１６ａの内側に配置されるとともに、平板状に広がる方向がベース部１５のベース面方向に対して垂直となるように、配置されている。
【００５３】
バネ部分２２は、中央部分２５に対して屈曲するように折り曲げ形成された部分として設けられ、中央部分２５に対して接続部分２１とは反対側に設けられている。このバネ部分２２は、中央部分２５に対して撓み可能に弾性変形する板バネ部分を構成している。そして、中央部分２５とバネ部分２２との成す角は、鈍角に設定されている。即ち、第１コンタクト１４ｂは、中央部分２５が延びる方向のバネ部分２２側への延長方向に対して鋭角の範囲において、バネ部分２２が中央部分２５に対して折り曲げられた状態に構成されている。
【００５４】
尚、第１コンタクト１４ｂの中央部分２５は、第１ハウジング１３においてスリット状に形成された溝に対して挿入される。また、第１コンタクト１４ｂには、中央部分２５が延びる方向に対して垂直な方向に向かって中央部分２５から突出する突起２３が設けられている。そして、第１コネクタ１１では、第１ハウジング１３におけるスリット状の溝に中央部分２５が挿入される際に、突起２３が第１ハウジング１３に対して圧入されるように構成されている。これにより、第１コンタクト１４ｂが、第１ハウジング１３に保持される。尚、突起２３は、第１ハウジング１３におけるスリット状の溝に対して更に凹み形成された穴に対して圧入される（図１０を参照）。
【００５５】
また、第１コンタクト１４ｂの中央部分２５が第１ハウジング１３に保持された状態では、バネ部分２２は、第１ハウジング１３に対して片持ち状に支持されることになる。また、ＬＥＤ基板１０１の導電部１０１ａに電気的に接続される接点部２４は、片持ち状に支持されるバネ部分２２における中央部分２５とは反対側の端部側に設けられている。そして、接点部２４は、半球状に膨らんだ部分として形成されている。また、第１コネクタ１１は、ネジ１０４によってベース部１５がＬＥＤ基板１０１に固定されることで、接点部２４が導電部１０１ａに押し付けられるように設けられている。尚、ベース部１５には、バネ部分２２に対応する部分において、バネ部分２２の弾性変形による作動を許容するためのバネ作動領域１５ｂが凹み形成されている。
【００５６】
また、第１コンタクト１４ｂは、第２コンタクト１８に接続される側である接続部分２１から中央部分２５及びバネ部分２２を経て接点部２４側に向かって延びる方向が、貫通孔１５ａ側に向かうように設定されている。尚、前述のように、第１コンタクト１４ａは、第１コンタクト１４ｂと同様の要素を備えて構成されており、第１コンタクト１４ａにおいても、接続部分２１、バネ部分２２、突起２３、接点部２４、中央部分２５、が設けられている。
【００５７】
図１３は、給電ケーブル（３、３）に接続された第２コネクタ１２を示す正面図である。図１４は、図１３に示す第２コネクタ１２について、図中の矢印Ｅ方向から見た図（図１４（ａ））及び図中の矢印Ｆ方向から見た図（図１４（ｂ））である。図１５は、給電ケーブル（３、３）に接続された第２コネクタ１２を示す斜視図である。図１６は、図１４(ａ)に示す第２コネクタ１２について図中のＧ−Ｇ線矢視位置から見た断面を示す断面図である。
【００５８】
図３乃至図６、図１３乃至図１６に示す第２コネクタ１２は、第１ハウジング１３の嵌合部１６に嵌め込まれる第２ハウジング１７と、第２ハウジング１７に保持される複数の第２コンタクト１８（１８ａ、１８ｂ）と、を備えて構成されている。尚、図１７は、第２ハウジング１７を示す斜視図である。また、図１８は、第２ハウジング１７について、図１４（ａ）に対応する方向から見た図（図１８（ａ））と、図１８（ａ）における矢印Ｈ方向から見た図（図１８（ｂ））とを示す図である。
【００５９】
図１３乃至図１８に示す第２ハウジング１７は、絶縁性材料である樹脂材料で形成され、略直方体状の部材として設けられている。第２コネクタ１２が第１コネクタ１１に嵌合して接続する際には、この第２ハウジング１７が第１ハウジング１３の嵌合部１６における嵌合穴１６ａに嵌め込まれることになる。尚、第２ハウジング１７は、嵌合部１６に対して、ベース部１５のベース面方向と平行に移動して嵌合穴１６ａに嵌め込まれる。
【００６０】
また、第２ハウジング１７には、複数の係止突起１７ａ、コンタクト収容室１７ｂ、複数の接続用溝１７ｃ、複数の係止部１７ｄ、等が設けられている。
【００６１】
係止突起１７ａは、４つ設けられており、略直方体状の第２ハウジング１７の幅方向の両側のそれぞれに２つずつ設けられている。そして、係止突起１７ａは、第２ハウジング１７の幅方向の両側のそれぞれにおいて、第２ハウジング１７から２本の給電ケーブル（３、３）が引き出される方向と平行な方向であるケーブル引出し方向における第２ハウジング１７の両端側にそれぞれ設けられている。尚、第２ハウジング１７の幅方向は、給電ケーブル（３、３）が並ぶ方向と平行な方向であって、図１３にて両端矢印Ｉで示す方向である。また、ケーブル引出し方向は、図１３にて両端矢印Ｊで示す方向である。
【００６２】
第２ハウジング１７が第１ハウジング１３の嵌合穴１６ａに嵌め込まれる際には、各係止突起１７ａが、嵌合部１６に設けられた各嵌合溝１６ｃに嵌め込まれることになる。そして、第２ハウジング１７は、ベース部１５のベース面方向と平行に移動して嵌合部１６に嵌まり込んだ後に、ベース面方向に対して垂直な方向であってベース部１５から離れる方向に向かって更に移動するように操作される。これにより、各係止突起１７ａが、嵌合部１６に設けられた各係合凸部１６ｄに対して、ベース面方向と平行な方向において係合することになる。即ち、第２ハウジング１７が、嵌合部１６に対してベース面方向と平行な方向において係合することになる。
【００６３】
コンタクト収容室１７ｂは、第２ハウジング１７の内側の空間領域として構成され、第２コンタクト１８を収容して保持する領域として設けられている。このコンタクト収容室１７ｂにおいては、２本のケーブル（３、３）にそれぞれ接続された２つの第２コンタクト１８（１８ａ、１８ｂ）が、第２ハウジング１７の幅方向に並んで配置される。
【００６４】
接続用溝１７ｃは、２つの第２コンタクト１８（１８ａ、１８ｂ）に対応して２つ設けられている。各接続用溝１７ｃは、コンタクト収容室１７ｂに連通するとともに外部に開口する溝として設けられている。そして、各接続用溝１７ｃは、コンタクト収容室１７ｂに収容された各第２コンタクト（１８ａ、１８ｂ）における第１コンタクト１４に接続される部分を外部に露出させるように構成されている。尚、第２ハウジング１７における各接続用溝１７ｃの近傍には、第２ハウジング１７に挿入された各第２コンタクト（１８ａ、１８ｂ）に対して当接することで第２コンタクト（１８ａ、１８ｂ）を第２ハウジング１７に対して位置決めする位置決め部１７ｅがそれぞれ設けられている（図１６を参照）。
【００６５】
係止部１７ｄは、２つの第２コンタクト１８（１８ａ、１８ｂ）に対応して２つ設けられている。各係止部１７ｄは、第２ハウジング１７のコンタクト収容室１７ｂ内に挿入された各第２コンタクト（１８ａ、１８ｂ）に対して係止する部分として設けられている。各係止部１７ｄは、コンタクト収容室１７ｂと第２ハウジング１７の外部とを連通するように第２ハウジング１７の壁部の一部が窓状に貫通して開放された各窓状開放部１７ｆに配置されている。そして、各係止部１７ｄは、第２ハウジング１７において、各窓状開放部１７ｆの縁側から中央側に向かって片持ち状に突出する部分として設けられている。また、各係止部１７ｄにおける先端側の端部には、コンタクト収容室１７ｂに対向するように凸状に隆起した部分が形成されている。各係止部１７ｄは、この凸状に隆起した部分において各第２コンタクト（１８ａ、１８ｂ）に係止するように構成されている。
【００６６】
第２コンタクト１８（１８ａ、１８ｂ）は、給電ケーブル（３、３）に対して電気的に接続されるとともに、第２ハウジング１７が第１ハウジング１３の嵌合部１６に嵌め込まれることで第１コンタクト１４（１４ａ、１４ｂ）に対して電気的に接続される端子部材として設けられている。そして、第２コネクタ１２では、第２コンタクト１８として２つの第２コンタクト（１８ａ、１８ｂ）が備えられている。尚、第２コンタクト１８ａは、２つの給電ケーブル（３、３）のうちの一方の給電ケーブル３に接続されるとともに、第１コンタクト１４ａに接続される。第２コンタクト１８ｂは、他方の給電ケーブル３に接続されるとともに、第１コンタクト１４ｂに接続される。また、第２コンタクト１８ａ及び第２コンタクト１８ｂは、銅合金で形成されており、表面にはめっき処理が施され、部分的にニッケル下地付の金メッキ処理が施されている。
【００６７】
図１９は、２つの第２コンタクト１８のうちの一方の第２コンタクト１８ａについて給電ケーブル３に接続された状態を示す斜視図である。また、図２０は、給電ケーブル３に接続された第２コンタクト１８ａを示す側面図（図２０（ａ））、平面図（図２０（ｂ））、正面図（図２０（ｃ））、及び底面図（図２０（ｄ））である。尚、図２０における第２コンタクト１８ａの正面図（図２０（ｃ）では、図５における電気的接続装置１の正面図（図５（ｂ））の正面方向とは異なった方向が正面方向として設定されている。尚、第２コンタクト１８ｂは、第２コンタクト１８ａと同様の要素を備えて構成されるため、以下の説明では、第２コンタクト１８ａの構造について説明することで、第２コンタクト１８ｂの構造についての説明を省略する。
【００６８】
第２コンタクト１８ａは、圧着端子として構成されており、給電ケーブル３に対して圧着されて接続された状態で、コンタクト収容室１７ｂに挿入されて第２ハウジング１７に保持される。そして、この第２コンタクト１８ａには、図１３、図１６、図１９及び図２０によく示されるように、圧着部２６、一対の接続部分（２７、２７）、係止突起２８、等が設けられている。
【００６９】
圧着部２６は、給電ケーブル３に接続される部分として設けられており、給電ケーブル３の端部における絶縁被覆が剥がされて導体が露出した裸端部に対してかしめられて圧着されている。これにより、第２コンタクト１８ａは、給電ケーブル３に対して電気的に接続されている。尚、第２コンタクト１８ａは、圧着部２６の近傍の部分において、給電ケーブル３における絶縁被覆が剥がされていない部分に対してもかしめられて固定されている。
【００７０】
一対の接続部分（２７、２７）は、第２コネクタ１２が第１コネクタ１１に接続される際に、第１コンタクト１４ａにおける接続部分２１に対して電気的に接続される部分として設けられている。そして、一対の接続部分（２７、２７）は、第２コンタクト１８ａにおける本体部分３０に対してそれぞれ片持ち状に支持されて突出した一対の弾性片として設けられている。また、一対の接続部分（２７、２７）は、複数回屈曲した状態に形成されており、本体部分３０から互いに平行な方向に突出した後に、突出する先端側において互いに接近し、更に互いに接近した状態で平行に突出するように、構成されている。
【００７１】
また、一対の接続部分（２７、２７）は、第２コネクタ１２が第１コネクタ１１に嵌合して接続された状態で、先端側において、第１コンタクト１４ａの接続部分２１に対して両側から挟み込んだ状態で接触するように構成されている。そして、一対の接続部分（２７、２７）のそれぞれの先端側には、互いに対向する側で半球状に膨らんだ部分として形成された接点部２９が設けられている。第２コネクタ１２が第１コネクタ１１に接続されて一対の接続部分（２７、２７）が第１コンタクト１４ａの接続部分２１を挟んだ状態になることで、弾性片としての各接続部分２７のバネ力によって、各接点部２９が接続部分２１に対して押し付けられることになる。
【００７２】
係止突起２８は、給電ケーブル３が接続された第２コンタクト１８ａが第２ハウジング１７のコンタクト収容室１７ｂに挿入された状態で、第２ハウジング１７の係止部１７ｄに係止する部分として設けられている。尚、第２コンタクト１８ａがコンタクト収容室１７ｂに挿入されると、係止部１７ｄが弾性変形して一端撓むことで、係止部１７ｄの先端側の端部における凸状に隆起した部分が係止突起２８を乗り越えることになる。そして、係止突起２８を乗り越えた係止部１７ｄの先端側の凸状に隆起した部分によって係止突起２８が係止され、第２コンタクト１８ａが第２ハウジング１７に係止される。
【００７３】
次に、電気的接続装置１及びハーネス２のＬＥＤ基板１０１に対する取付作業工程について説明する。この取付作業の際には、ハーネス２の各給電ケーブル３は、一方の端部においてヒートシンク１０２の本体部１０２ａの内側の電源基板に接続され、他方の端部において各第２コンタクト１８（１８ａ、１８ｂ）に接続されている。そして、各給電ケーブル３が接続された各第２コンタクト１８（１８ａ、１８ｂ）は、第２ハウジング１２に挿入されて保持されている。更に、給電ケーブル（３、３）が接続された第２コネクタ１２は、設置部１０２ｂの貫通配置孔１０２ｃを通過して、設置部１０２ｂの表面側（ＬＥＤ基板１０１が設置される側）に配置された状態となっている。また、第１ハウジング１３には、第１コンタクト１４（１４ａ、１４ｂ）が保持されている。
【００７４】
上記の状態にて、設置部１０２ｂの表面側において、第２コネクタ１２が第１コネクタ１１に対して接続される。即ち、第２ハウジング１７が第１ハウジング１３の嵌合部１６に嵌合し、第２コンタクト１８（１８ａ、１８ｂ）の接点部２９が第２コンタクト１４（１４ａ、１４ｂ）の接続部分２１に対して接触して電気的に接続される。尚、第１コネクタ１１と第２コネクタ１２とが接続されることで、ハーネス２が構成されることになる。
【００７５】
第１コネクタ１１と第２コネクタ１２とが接続されると、次いで、ＬＥＤ基板１０１のヒートシンク１０２への設置とともに、電気的接続装置１のＬＥＤ基板１０１への取り付けが行われる。この取付作業では、ＬＥＤ基板１０１は、コネクタ用凹部１０１ｂが設置部１０２ｂの貫通配置孔１０２ｃに対応した位置に配置される。そして、第２コネクタ１２が接続した状態の第１コネクタ１１が、貫通配置孔１０２ｃを貫通した状態でコネクタ用凹部１０１ｂの内側に配置される。
【００７６】
上記の状態において、各ネジ１０４がベース部１５の各貫通孔１５ａを貫通するとともにＬＥＤ基板１０１のネジ用凹部１０１ｃの内側を通過した状態で、各ネジ１０４をヒートシンク１０２の設置部１０２ｂへ螺合させる作業が行われる。そして、ベース部１５を介してＬＥＤ基板１０１を設置部１０２ｂに押し付けるネジ１０４によって、ＬＥＤ基板１０１が設置部１０２ｂに固定されるとともに、ベース部１５がＬＥＤ基板１０１に固定される。
【００７７】
また、上記のようにベース部１５がＬＥＤ基板１０１に固定されることで、第１コンタクト１４（１４ａ、１４ｂ）の各接点部２４がＬＥＤ基板１０１の各導体部１０１ａに対して電気的に接続される。これにより、電気的接続装置１が、ＬＥＤ基板１０１に実装されたＬＥＤチップ１０３に対して電気的に接続され、電源基板からＬＥＤチップ１０３への給電が可能な状態となる。
【００７８】
以上説明したように、電気的接続装置１によると、給電ケーブル（３、３）が接続された第２コネクタ１２が嵌合によって第１コネクタ１１に接続され、ＬＥＤ基板１０１をヒートシンク１０２に固定するネジ（１０４、１０４）によって第１コネクタ１１がＬＥＤ基板１０１の縁部分側に固定される。このため、従来技術とは異なり、ＬＥＤ基板１０１において、給電ケーブル（３、３）が挿通される孔が貫通形成されることがなく、また、コネクタが配置される孔が貫通形成されることもない。よって、ＬＥＤ基板１０１において、絶縁性材料が配置されない空間領域としての孔が不要となるため、ヒートシンク１０２に対する絶縁性を容易に確保可能でＬＥＤ基板１０１の小型化を図ることができる。
【００７９】
また、電気的接続装置１では、ＬＥＤ基板１０１の縁部分側で固定される第１コネクタ１１のベース部１５からＬＥＤチップ１０３側と反対側で突出する嵌合部１６に第２コネクタ１２が嵌合する。このため、第１コネクタ１１及び第２コネクタ１２とも、ＬＥＤ基板１０１の表面側において突出する高さが高くなってしまうことが防止される。よって、発光するＬＥＤチップ１０３からの光の一部を遮ってしまうことを抑制できるようにＬＥＤ基板１０１の表面における低背化が図られる構造の電気的接続装置１が実現されることになる。
【００８０】
また、電気的接続装置１では、上述のように、給電ケーブル（３、３）が接続された第２コネクタ１２が嵌合によって第１コネクタ１１に接続され、ＬＥＤ基板１０１をヒートシンク１０２に固定するネジ（１０４、１０４）によって第１コネクタ１１がＬＥＤ基板１０１の縁部分側に固定される。このため、従来技術とは異なり、ＬＥＤ基板の孔に給電ケーブルを挿通させた後にＬＥＤ照明用電気的接続装置を給電ケーブルとＬＥＤ基板とに接続するような煩雑で手間を要する作業が不要となり、ＬＥＤ基板１０１に対して容易に電気的接続装置１を接続することができる。また、電気的接続装置１は、ＬＥＤ基板１０１の縁部分に固定された第１コネクタ１１に対して、給電ケーブル（３、３）に接続された第２コネクタ１２が嵌合する構造のため、ＬＥＤ電球１００の製造工程上の制約が非常に少なく、また、ＬＥＤ電球１００の構造上の制約も非常に少ない。
【００８１】
従って、本実施形態によると、ヒートシンク１０２に対する絶縁性を容易に確保可能でＬＥＤ基板１０１の小型化を図れ、ＬＥＤ基板１０１の表面側における低背化を図ることができ、ＬＥＤ基板１０１に対して容易に接続可能で、更に、ＬＥＤ電球（ＬＥＤ照明）１００の製造工程上及び構造上の制約を緩和できる、ＬＥＤ照明用電気的接続装置１を提供することができる。
【００８２】
また、電気的接続装置１によると、ＬＥＤ基板１０１と平行に配置される板状のベース部１５から突出する嵌合部１６に対してベース面方向と平行に第２ハウジング１７を嵌め込むことで、第１コネクタ１１に対する第２コネクタ１２の接続作業を容易に行うことができる。
【００８３】
また、電気的接続装置１によると、第２ハウジング１７は、第１コネクタ１１に対してベース面方向に嵌め込まれた後にベース面方向に垂直に移動してベース面方向と平行な方向で係合する。このため、第１コネクタ１１に対して第２コネクタ１２が二重にロックされた状態でより確実な脱落防止が図られることになる。また、第１コネクタ１１に対してベース面方向に第２コネクタ１２が嵌め込まれる形態の電気的接続装置１であっても、二重にロック可能な構造を容易に実現することができる。
【００８４】
また、電気的接続装置１によると、第１コンタクト１４の接点部２４は、片持ち状のバネ部分２２に設けられ、第１コネクタ１１がネジ１０４によってＬＥＤ基板１０１に固定されることでＬＥＤ基板１０１の導電部１０１ａに押し付けられる。このため、第１コンタクト１４の接点部２４が、ＬＥＤ基板１０１の導電部１０１ａに対して、ネジ１０４による固定力に加えてバネ部分２２のバネ力によっても押し付けられ、接点部２４と導電部１０１ａとの間でのより強固な接触力が確保されることになる。よって、電気的接続装置１が、ＬＥＤ電球１００に長期間に亘って設置されることで長期間に亘る高温環境下に配置された場合であっても、第１ハウジング１３の変形の影響を抑制して接点部２４と導電部１０１ａとのより安定した接触状態を確保することができる。
【００８５】
また、電気的接続装置１によると、第１コンタクト１４が、長方形状に設けられる部分を含む板状部材によって形成される。このため、第１コンタクト１４の製造の際に、大きな板状の部材から打ち抜き或いは切断などによって複数の第１コンタクト１４の素材が形成される際に、上記の板状の部材において複数の第１コンタクト１４の素材部分を効率よく密集させた状態で配置することができる。よって、第１コンタクト１４の製造の際における歩留まりの向上を図ることができる。また、長方形状に延びる第１コンタクト１４は、第２コンタクト１８に接続される側から接点部２４側に向かう方向が、ベース部１５においてネジ１０４が貫通する貫通孔１５ａ側に向かうように設定されている。このため、ネジ１０４の固定力が強固に作用する領域に接点部２４が配置されることになる。よって、第１コンタクト１４の接点部２４とＬＥＤ基板１０１の導電部１０１ａとの間において更に強固な接触力を確保することができる。
【００８６】
尚、ハーネス２においても、上記の電気的接続装置１と同様の効果が得られることになる。
【００８７】
以上、本発明の実施形態について説明したが、本発明は上述の実施の形態に限られるものではなく、特許請求の範囲に記載した限りにおいて様々な変更が可能なものである。例えば、次のように変更して実施してもよい。
【００８８】
（１）前述の実施形態では、ＬＥＤ基板をヒートシンクに固定する固定部材として、ネジの形態を例にとって説明したが、この通りでなくてもよい。例えば、固定部材が、リベット、或いは、小型のボルト及びナット、等として構成されていてもよい。
【００８９】
（２）前述の実施形態では、第１コネクタにおける第１コンタクトが、板状部材が折り曲げられることで形成された形態を例にとって説明したが、この通りでなくてもよい。第１コンタクトの形状については、種々変更して実施してもよい。
【００９０】
（３）前述の実施形態では、第２コネクタにおける第２コンタクトが、圧着端子として構成された形態を例にとって説明したが、この通りでなくてもよい。第２コンタクトが、給電ケーブルの絶縁被覆部分の上から内側の導体まで差し込まれるように圧入されて給電ケーブルに対して電気的に接続される圧接端子として構成されていてもよい。また、第２コンタクトが、給電ケーブルの導体が挿入されることで給電ケーブルに電気的に接続される速結端子として構成されていてもよい。
【００９１】
（４）前述の実施形態では、第２ハウジングが、第１ハウジングにおけるベース部のベース面方向と平行に移動して嵌合部に嵌め込まれる形態を例にとって説明したが、この通りでなくてもよい。即ち、第２ハウジングが、第１ハウジングのベース面方向と平行な方向以外の方向に移動して嵌合部に嵌め込まれる形態であってもよい。例えば、第２ハウジングが、第１ハウジングのベース面方向と垂直な方向に移動して嵌合部に嵌め込まれる形態であってもよい。
【００９２】
図２１は、第２ハウジングがベース面方向と垂直な方向に移動して嵌合部に嵌め込まれる形態の変形例を示す図であって、変形例に係る第１コネクタ４０を示す正面図である。図２１の変形例に係る第１コネクタ４０は、嵌合部１６における嵌合穴１６ａが、ベース面方向と垂直な方向に向かって開口するように形成されている。尚、図２１においては、第１コネクタ４０における構成要素に関し、前述の実施形態の第１コネクタ１１と対応する構成要素については、同一の符号を付している。図２１に示す第１コネクタ４０が用いられる場合は、第２コネクタ１２との嵌合方向が前述の実施形態とは異なり、第２コネクタ１２がベース面方向と垂直に移動して嵌合部１６に嵌合することになる。また、この変形例では、第１コンタクト１４に対する第２コンタクト１８の接続方向についても、前述の実施形態とは異なることになる。
【００９３】
（５）図２２は、変形例に係る第２コネクタ４１を示す正面図である。図２２の変形例に係る第２コネクタ４１は、更にリテーナ４２を備えて構成されている。そして、リテーナ４２は、第２ハウジング１７に取り付けられることで第２ハウジング１７に係合し、更に、給電ケーブル３に接続されるとともに第２ハウジング１７に保持された第２コンタクトに対しても係合するように構成されている。このリテーナ４２における第２ハウジング１７に取り付けられる取付面側には、例えば、第２ハウジング１７に形成された孔又は溝を貫通して第２コンタクトに係合する突起部が設けられている。尚、図２２においては、第２コネクタ４１における構成要素に関し、前述の実施形態の第２コネクタ１２と対応する構成要素については、同一の符号を付している。
【００９４】
上記の変形例によると、第２コネクタ４１において、第２ハウジング１７に係合するとともに第２コンタクトにも係合するリテーナ４２が更に設けられる。このため、給電ケーブル３に外力が作用した場合であっても、給電ケーブル３が接続された第２コンタクトが第２ハウジング１７から外れてしまうことをより確実に防止できる。
【産業上の利用可能性】
【００９５】
本発明は、ＬＥＤ照明におけるＬＥＤ基板と給電ケーブルとを接続する、ＬＥＤ照明用電気的接続装置、及びＬＥＤ照明用電気的接続装置を備えるハーネスとして、広く適用することができるものである。
【符号の説明】
【００９６】
１                        ＬＥＤ照明用電気的接続装置
１１                      第１コネクタ
１２                      第２コネクタ
１３                      第１ハウジング
１４、１４ａ、１４ｂ      第１コンタクト
１５                      ベース部
１６                      嵌合部
１７                      第２ハウジング
１８、１８ａ、１８ｂ      第２コンタクト
１００                    ＬＥＤ電球（ＬＥＤ照明）
１０１                    ＬＥＤ基板
１０２                    ヒートシンク
１０３                    ＬＥＤチップ
１０４                    ネジ（固定部材）
【図１】
0005726616.tif 000002
【図２】
0005726616.tif 000003
【図３】
0005726616.tif 000004
【図４】
0005726616.tif 000005
【図５】
0005726616.tif 000006
【図６】
0005726616.tif 000007
【図７】
0005726616.tif 000008
【図８】
0005726616.tif 000009
【図９】
0005726616.tif 000010
【図１０】
0005726616.tif 000011
【図１１】
0005726616.tif 000012
【図１２】
0005726616.tif 000013
【図１３】
0005726616.tif 000014
【図１４】
0005726616.tif 000015
【図１５】
0005726616.tif 000016
【図１６】
0005726616.tif 000017
【図１７】
0005726616.tif 000018
【図１８】
0005726616.tif 000019
【図１９】
0005726616.tif 000020
【図２０】
0005726616.tif 000021
【図２１】
0005726616.tif 000022
【図２２】
0005726616.tif 000023